(57)【特許請求の範囲】
【請求項１】
複数の発射装薬モジュールの組み合わせからなるモジュール式発射装薬であって、
前記発射装薬モジュールが、
円柱形状の本体部と、前記本体部の第１端面に形成された凸部と、前記本体部の第２端面に形成された、前記凸部と嵌合できる凹部を有している焼尽性のモジュールケースと、
前記焼尽性のモジュールケース内に発射薬および点火薬を含む構成部品が収容されたものであり、
さらに前記モジュールケースの外表面に砲薬室への装填方向を示す、スズ、亜鉛、鉛、ビスマスおよびそれらの合金から選ばれる１種または２種以上の金属成分を含む蓄光物質塗料により形成された発光部を有しているものである、手動により砲薬室へ装填されるモジュール式発射装薬。
【請求項２】
前記発光部が、前記モジュールケースの外表面の２箇所以上に分散されて形成されたものである、請求項１記載のモジュール式発射装薬。
【請求項３】
前記発光部が、前記モジュールケースの外表面の２箇所以上に分散されて、かつ異なる方向に形成されたものである、請求項１記載のモジュール式発射装薬。
【請求項４】
前記発光部が、前記モジュールケース本体部の外表面の第１端面側と第２端面側の少なくとも一方に周方向に形成されたものである、請求項１記載のモジュール式発射装薬。
【請求項５】
前記発光部が、前記モジュールケース本体部の外表面の第１端面側と第２端面側の少なくとも一方に周方向に形成され、さらに前記本体部の外表面に軸方向に形成されたものである、請求項１記載のモジュール式発射装薬。
【発明の詳細な説明】
【技術分野】
【０００１】
本発明は、夜間運用の精度や安全性の向上に有用な手動により砲薬室へ装填されるモジュール式発射装薬に関する。
【背景技術】
【０００２】
モジュール式発射装薬は、焼尽性容器（焼尽性のモジュールケース）内に発射薬および点火薬を含む構成部品が収容された発射装薬モジュールの１個ずつが、軸方向に連結されるようにして砲薬室へ装填されるものである。
【０００３】
特許文献１の段落番号００１３には、１つのモジュールの両端面がオス型、メス型の構造のもの（図２）、両端面が同じ平坦な形状のもの（図１、図３）のいずれでもよいことが記載されている。さらに前記段落番号００１３には、両端面が凹凸部の形状である複数のユニットを使用するとき、それぞれの凹凸部で各ユニットを嵌め合う方法、各ユニットの両端面の外径を小さくして、バンドなどで固定する方法で連結できることが記載されている。
【０００４】
特許文献２には、１つのモジュールの両端面がオス型、メス型の構造のものを連結する際、マグネットを使用して、例えば図５に示すように連結して使用することが記載されている。なお、段落番号０００２において外表面に塗料などのコーティング面３ａが形成できることが記載されているが、前記コーティング面３ａは、例えば特公平２−１７７９９号公報の第１２欄第２７〜第２９行に記載のように、防湿目的のものと考えられる。
【先行技術文献】
【特許文献】
【０００５】
【特許文献１】特開２００５−２６５３５２号公報
【特許文献１】特開２０００−２５８０９９号公報
【発明の概要】
【発明が解決しようとする課題】
【０００６】
本発明は、複数の発射装薬モジュールを軸方向に連結して使用するモジュール式発射装薬であり、夜間運用時の精度や安全性の向上に有用な手動により砲薬室へ装填されるモジュール式発射装薬を提供することを課題とする。
【課題を解決するための手段】
【０００７】
本発明は、複数の発射装薬モジュールの組み合わせからなるモジュール式発射装薬であって、
前記発射装薬モジュールが、
円柱形状の本体部と、前記本体部の第１端面に形成された凸部と、前記本体部の第２端面に形成された、前記凸部と嵌合できる凹部を有している焼尽性のモジュールケースと、
前記焼尽性のモジュールケース内に発射薬および点火薬を含む構成部品が収容されたものであり、
さらに前記モジュールケースの外表面に砲薬室への装填方向を示す発光部を有しているものである、手動により砲薬室へ装填されるモジュール式発射装薬を提供する。
【発明の効果】
【０００８】
本発明のモジュール式発射装薬は、発射装薬モジュールのモジュールケースの外表面に砲薬室への装填方向を示す発光部を有しているため、夜間においても装填方向を容易に視認することができ、夜間運用の精度および安全性を向上させることができる。
【図面の簡単な説明】
【０００９】
【図１】（ａ）〜（ｄ）は、異なる実施形態の発射装薬モジュールの側面図である。
【図２】図１（ｄ）に示す発射装薬モジュールを使用したモジュール式発射装薬の斜視図であり、砲薬室へ装填された状態を示している。
【発明を実施するための形態】
【００１０】
モジュール式発射装薬１は、複数の発射装薬モジュール１０が軸方向に連結されて使用されるものである。
【００１１】
発射装薬モジュール１０は、焼尽性のモジュールケース１１内に発射薬および点火薬を含む構成部品が収容されたものである。
発射薬は公知のものであり、シングルベース発射薬、ダブルベース発射薬、トリプルベース発射薬、マルチベース発射薬などから選ばれるものを使用することができる。
焼尽性のモジュールケース１１は、公知のニトロセルロースとパルプなどからなるものを使用することができる。
【００１２】
焼尽性のモジュールケース１１は、円柱形状の本体部１２と、本体部１２の第１端面１２ａに形成された軸方向への凸部１３と、本体部１２の第２端面１２ｂに形成された、凸部１３と嵌合できる軸方向への凹部１４を有している。
【００１３】
焼尽性のモジュールケース１１は、外表面に砲薬室への装填方向を示す発光部を有している。
前記発光部は、夜間運用時において、外部から肉眼で確認できるような照明手段を使用することなく、それ自体が発光することで、発射装薬モジュール１０の装填方向を視認できるようにするためのものである。
発光部は、モジュールケース１１の外表面の全体に形成されていてもよいし、モジュールケース１１の外表面の一部に形成されていてもよい。
発光部がモジュールケース１１の外表面の一部に形成されているとき、２箇所以上に分散されて形成されていてもよい。
また、発光部がモジュールケース１１の外表面の一部に形成されているとき、２箇所以上に分散されて、かつ異なる方向に形成されていてもよい。
【００１４】
発光部の形成位置は、手動による砲薬室への装填が確実にできる位置であれば特に制限されるものはなく、図１（ａ）〜（ｄ）に示すような実施形態にすることができる。
図１（ａ）は、焼尽性のモジュールケース１１の全体に発光部が形成されていることを示している。
図１（ｂ）は、凸部１３において周方向に発光部２２が形成され、本体部１２の第２端面１２ｂ側において周方向に発光部２１が形成されている。図１（ｂ）において、発光部２２を形成せず、発光部２１のみを形成してもよい。
図１（ｃ）は、凸部１３において周方向に発光部２２が形成されている。
【００１５】
図１（ｄ）は、本体部１２の第２端面１２ｂ側において周方向に発光部２１が形成され、本体部１２において第２端面１２ｂから第１端面１２ａ方向に棒状（長方形）の発光部２０が形成されている。
長方形の発光部２０は、本体部１２から凸部１３にわたって形成されているが、本体部１２のみ、または凸部１３のみに形成されていてもよい。
長方形の発光部２０は、装填方法がより明確になるように第１端面１２ａ側の先端部側が矢印または三角形になっているものでもよい。
焼尽性のモジュールケース１１は、必要に応じて外表面に防水処理をした後で、発光部を形成することもできる。
【００１６】
焼尽性のモジュールケース１１の外表面に形成された発光部の形成方法は特に制限されるものではなく、例えば、市販されている発光塗料、蛍光塗料、蓄光塗料および夜光塗料から選ばれる塗料を使用することができる。
前記塗料は、塗布するタイプの塗料、スプレーするタイプの塗料のいずれでもよい。
また、前記した各塗料層を有する粘着テープを焼尽性のモジュールケース１１の外表面に貼り付ける方法も適用することができる。なお、前記粘着テープを使用するときは、焼尽性のモジュールケース１１の外表面に浅い凹部を形成しておき、前記浅い凹部に粘着テープを貼り付けるようにすることができる。
【００１７】
前記塗料としては、スズ、亜鉛、鉛、ビスマスおよびそれらの合金から選ばれる１種または２種以上の金属成分を含む蓄光物質塗料を使用することができる。
前記塗料としては、高輝度長残光性蛍光体 Ｎ夜光（ルミノーバ  根本特殊化学（株）社製）などの夜光顔料（蓄光顔料）を使用することができる。
前記塗料としては、（株）アサヒペン、日本ペイント（株）、関西ペイント株式会社、シンロイヒ（株）、サンデーペイント（株）などから販売されている各種夜光塗料スプレー、各種蛍光塗料スプレー、各種蓄光塗料スプレーなどを使用することができる。
前記塗料としては、三井金属鉱業株式会社などから販売されているスズ、亜鉛、ビスマスの粉体を、市販の夜光塗料、蛍光塗料などと混合して使用することもできる。
前記塗料としてスズ、亜鉛、鉛、ビスマスおよびそれらの合金を含む蓄光塗料を用いた場合には、砲身内の除銅効果も発揮することができるので好ましい。
さらに通常は、発射薬表面には黒鉛光沢処理がされて導電性が付与されているが、前記塗料としてスズ、亜鉛、鉛、ビスマスおよびそれらの合金を含む蓄光塗料を用いた場合には、前記塗料を塗布することでモジュールケース１１にも導電性を付与することができる。
このため、導電性が付与された発射薬と導電性が付与されたモジュールケース１１の組み合わせにより発射装薬モジュール１０全体に導電性を付与できるため、静電気による火薬の不時着火を防止することもできるので好ましい。
【００１８】
次に、本発明のモジュール式発射装薬の使用方法について説明する。
夜間運用時において、発光部のない発射装薬モジュール１０を手動により砲薬室へ連続装填しようとするとき、凸部１２と凹部１３の位置が分かり難いため、装填に手間取り、時間を要することが考えられる。
しかし、図１（ａ）〜（ｄ）に示すような発射装薬モジュール１０を使用すれば、発光部があることで装填方向を容易に視認することができるため、夜間であっても図２（図１（ｄ）を使用した実施形態を示している）に示すような状態になるように、円滑に連続装填を実施できる。
なお、発光部を蓄光物質塗料で形成したとき、予め昼間に装薬缶から発射装薬を出して所定時間蓄光させておく。
本発明のモジュール式発射装薬は、例えば１５５ｍｍりゅう弾砲に使用することができる。
【産業上の利用可能性】
【００１９】
本発明のモジュール式発射装薬は、夜間運用用のモジュール式発射装薬として使用することができる。
【符号の説明】
【００２０】
１  モジュール式発射装薬
１０  発射装薬モジュール
２０〜２２  発光部
【図１】
0006385863.tif 000002
【図２】
0006385863.tif 000003